(57)【要約】      （修正有）【課題】金属ブラケットを設ける必要もなく、組立が迅速かつ簡単であり、取付コストや原材料コストを節約することができるフレキシブルフィラメントライトを提供する。【解決手段】フレキシブルフィラメントライトは、口金アセンブリと、口金アセンブリに接続された電球ハウジングと、電球ハウジング内に設けられ、且つ口金アセンブリに電気的に接続された芯柱３と、芯柱３に固定されたフレキシブルフィラメント４と、を備え、芯柱３には複数のフックが設けられ、フレキシブルフィラメント４はフック５１、５２に巻回され、フレキシブルフィラメント４の両端はそれぞれフックのうちの２つの固定フック５０に固定的且つ電気的に接続されている。フレキシブルフィラメントライトは、芯柱３にフックを設けることにより、フレキシブルフィラメントの位置決めと固定を行い、フレキシブルフィラメント４を二回に巻回したりクランプしたりする必要がない。【選択図】図２
0003233052.tif 000002
【実用新案登録請求の範囲】
【請求項１】
口金アセンブリと、前記口金アセンブリに接続された電球ハウジングと、前記電球ハウジング内に設けられ、且つ前記口金アセンブリに電気的に接続された芯柱と、前記芯柱に固定されたフレキシブルフィラメントと、を備える、フレキシブルフィラメントライトであって、
前記芯柱には複数のフックが設けられ、前記フレキシブルフィラメントは前記フックに巻回され、前記フレキシブルフィラメントの両端はそれぞれ前記フックのうちの２つに固定的且つ電気的に接続されていることを特徴とするフレキシブルフィラメントライト。
【請求項２】
前記フレキシブルフィラメントの両端は、前記フックに係合して引っ掛ける位置決め部を備えることを特徴とする請求項１に記載のフレキシブルフィラメントライト。
【請求項３】
前記芯柱には金属部材が固定され、前記芯柱内には前記口金アセンブリと電気的に接続されたリード線が設けられ、前記金属部材が前記リード線に固定的に接続され、前記フックが前記金属部材に固定的かつ電気的に接続されていることを特徴とする請求項１または２に記載のフレキシブルフィラメントライト。
【請求項４】
複数の前記フックは、少なくとも、前記芯柱に固定され、且つ前記口金アセンブリと電気的に接続された２つの固定フックを含み、前記フレキシブルフィラメントの両端のパッドには共に位置決め孔が開設され、前記固定フックは、前記パッドの前記位置決め孔を通して半田付けされていることを特徴とする請求項１に記載のフレキシブルフィラメントライト。
【請求項５】
前記芯柱には連通孔が開設され、前記固定フックは前記連通孔を通して前記口金アセンブリの駆動部材と電気的に接続されていることを特徴とする請求項４に記載のフレキシブルフィラメントライト。
【請求項６】
前記芯柱の軸方向の両端には共に複数の前記フックが設けられ、前記芯柱の前記口金アセンブリに近い前記フックが第１フックであり、前記芯柱の前記口金アセンブリから離れた前記フックが第２フックであり、前記フレキシブルフィラメントが前記第１フックと前記第２フックとに交互に巻回されていることを特徴とする請求項１から３のいずれか一項に記載のフレキシブルフィラメントライト。
【請求項７】
前記芯柱の軸方向の両端には共に複数の前記フックが設けられ、前記芯柱の前記口金アセンブリに近い前記フックが第１フックであり、前記芯柱の前記口金アセンブリから離れた前記フックが第２フックであり、前記フレキシブルフィラメントが前記第１フックと前記第２フックとに交互に巻回されており、
前記第１フックのうちの２つは、前記固定フックであること、
あるいは、前記第２フックのうちの２つは、前記固定フックであること、
あるいは、前記第１フックのうちの１つは、１つの前記固定フックであり、前記第２フックのうちの１つは、もう１つの前記固定フックであることを特徴とする請求項４または５に記載のフレキシブルフィラメントライト。
【請求項８】
複数の前記第１フックは、前記芯柱の前記口金アセンブリに近い一端に周方向に均等に設けられ、複数の前記第２フックは、前記芯柱の前記口金アセンブリから離れた一端に周方向に均等に設けられていることを特徴とする請求項６または７に記載のフレキシブルフィラメントライト。
【請求項９】
前記フレキシブルフィラメントの両端がそれぞれ２つの前記第１フックに半田付けされていること、
あるいは、前記フレキシブルフィラメントの両端がそれぞれ２つの前記第２フックに半田付けされていること、
あるいは、前記フレキシブルフィラメントの両端がそれぞれ前記第１フックのうちの１つと前記第２フックのうちの１つとに半田付けされていることを特徴とする請求項６に記載のフレキシブルフィラメントライト。
【請求項１０】
前記第１フックの開口側と前記第２フックの開口側とが逆向きに設けられていることを特徴とする請求項６または７に記載のフレキシブルフィラメントライト。
【請求項１１】
複数の前記第１フックは前記芯柱の軸方向に段違いに設けられていること、及び／又は、複数の前記第２フックは前記芯柱の軸方向に段違いに設けられていることを特徴とする請求項６または７に記載のフレキシブルフィラメントライト。
【請求項１２】
前記フックは、前記フレキシブルフィラメントに当接するための円弧部を有し、前記円弧部の直径はｄであり、前記円弧部の円弧長は０．５πｄ〜０．７５πｄであることを特徴とする請求項１から１１のいずれか一項に記載のフレキシブルフィラメントライト。
【請求項１３】
前記芯柱がガラスの芯柱であり、前記電球ハウジングがガラスの電球ハウジングであり、前記ガラスの電球ハウジングの開口端が前記ガラスの芯柱に密封接続されていることを特徴とする請求項１から１１のいずれか一項に記載のフレキシブルフィラメントライト。
【考案の詳細な説明】
【技術分野】
【０００１】
本出願は照明器具の技術分野に属し、より具体的には、フレキシブルフィラメントライトに関するものである。
【背景技術】
【０００２】
フィラメントライトのフィラメントの種類は多様であり、その中でフレキシブルフィラメントは成形性が良く、多様な形状に成形されることができ、より美観があるため、顧客に人気がある。しかし、フレキシブルフィラメントはその全体が柔軟すぎるという特性を持っているので、取り付けや定型を行うことが難しく、組立時の工程が複雑であり、通常に芯柱に多くの金属ブラケットを設け、金属ブラケットを定型した後に、フィラメントを金属ブラケットに巻回し、最後にフレキシブルフィラメントをクランプする必要があり、組立工程が煩雑であり、組立コストが高い。
【０００３】
一方、現在のフレキシブルフィラメントライトは、その両端のパッドのみを介して口金アセンブリの駆動部材との電気的接続を実現することができる。通常に芯柱に金属柱を設け、金属柱を介してフレキシブルフィラメントのパッドと半田付けするが、両者の半田付けは確実性が低く、長期間に使用するとフレキシブルフィラメントが金属柱から外れやすく、照明器具が継続的に使用できなくなる。
【考案の開示】
【考案が解決しようとする課題】
【０００４】
本考案の実施形態の一つ目の目的は、従来技術においてフレキシブルフィラメントの組立工程が複雑であるという技術的問題を解決するための、フレキシブルフィラメントライトを提供することである。本考案の実施形態の二つ目の目的は、従来技術においてフレキシブルフィラメントと金属柱との半田付けの確実性が低いという技術的問題を解決するための、フレキシブルフィラメントライトを提供することである。
【課題を解決するための手段】
【０００５】
上述した目的を実現するために、本考案の第１の態様は、口金アセンブリと、前記口金アセンブリに接続された電球ハウジングと、前記電球ハウジング内に設けられ、且つ前記口金アセンブリに電気的に接続された芯柱と、前記芯柱に固定されたフレキシブルフィラメントと、を備える、フレキシブルフィラメントライトであって、前記芯柱には複数のフックが設けられ、前記フレキシブルフィラメントは前記フックに巻回され、前記フレキシブルフィラメントの両端はそれぞれ前記フックのうちの２つに固定的且つ電気的に接続されているフレキシブルフィラメントライトを提供する。
【０００６】
一実施形態において、前記フレキシブルフィラメントの両端は、前記フックに係合して引っ掛ける位置決め部を備える。
【０００７】
一実施形態において、前記芯柱には金属部材が固定され、前記芯柱内には前記口金アセンブリと電気的に接続されたリード線が設けられ、前記金属部材が前記リード線に固定的に接続され、前記フックが前記金属部材に固定的かつ電気的に接続されている。
【０００８】
一実施形態において、複数の前記フックは、少なくとも、前記芯柱に固定され、且つ前記口金アセンブリと電気的に接続された２つの固定フックを含み、前記フレキシブルフィラメントの両端のパッドには共に位置決め孔が開設され、前記固定フックは、前記パッドの前記位置決め孔を通して半田付けされている。
【０００９】
一実施形態において、前記芯柱には連通孔が開設され、前記固定フックは前記連通孔を通して前記口金アセンブリの駆動部材と電気的に接続されている。
【００１０】
一実施形態において、前記芯柱の軸方向の両端には共に複数の前記フックが設けられ、前記芯柱の前記口金アセンブリに近い前記フックが第１フックであり、前記芯柱の前記口金アセンブリから離れた前記フックが第２フックであり、前記フレキシブルフィラメントが前記第１フックと前記第２フックとに交互に巻回されている。
【００１１】
一実施形態において、前記第１フックのうちの２つは、前記固定フックであり、あるいは、前記第２フックのうちの２つは、前記固定フックであり、あるいは、前記第１フックのうちの１つは、１つの前記固定フックであり、前記第２フックのうちの１つは、もう１つの前記固定フックである。
【００１２】
一実施形態において、複数の前記第１フックは、前記芯柱の前記口金アセンブリに近い一端に周方向に均等に設けられ、複数の前記第２フックは、前記芯柱の前記口金アセンブリから離れた一端に周方向に均等に設けられている。
【００１３】
一実施形態において、前記フレキシブルフィラメントの両端がそれぞれ２つの前記第１フックに半田付けされ、あるいは、前記フレキシブルフィラメントの両端がそれぞれ２つの前記第２フックに半田付けされ、あるいは、前記フレキシブルフィラメントの両端がそれぞれ前記第１フックのうちの１つと前記第２フックのうちの１つとに半田付けされている。
【００１４】
一実施形態において、前記第１フックの開口側と前記第２フックの開口側とが逆向きに設けられている。
【００１５】
一実施形態において、複数の前記第１フックは、前記芯柱の軸方向に段違いに設けられ、及び／又は、複数の前記第２フックは、前記芯柱の軸方向に段違いに設けられている。
【００１６】
一実施形態において、前記フックは、前記フレキシブルフィラメントに当接するための円弧部を有し、前記円弧部の直径はｄであり、前記円弧部の円弧長は０．５πｄ〜０．７５πｄである。
【００１７】
一実施形態において、前記芯柱がガラスの芯柱であり、前記電球ハウジングがガラスの電球ハウジングであり、前記ガラスの電球ハウジングの開口端が前記ガラスの芯柱に密封接続されている。
【００１８】
本考案の第２の態様は、口金アセンブリと、前記口金アセンブリに接続された電球ハウジングと、前記電球ハウジング内に設けられ、且つ前記口金アセンブリに電気的に接続された芯柱と、前記芯柱に固定されたフレキシブルフィラメントと、を備える、フレキシブルフィラメントライトであって、前記芯柱には、前記口金アセンブリと電気的に接続された２つの固定フックが固定され、前記フレキシブルフィラメントの両端のパッドには共に位置決め孔が開設され、前記固定フックは、前記パッドの前記位置決め孔を通して半田付けされているフレキシブルフィラメントライトを提供する。
【考案の効果】
【００１９】
本考案により提供されるフレキシブルフィラメントライトの一つ目の効果は次の通りである。従来技術に比較すると、本考案のフレキシブルフィラメントライトは、口金アセンブリと、電球ハウジングと、芯柱と、フレキシブルフィラメントとを備え、芯柱には複数のフックが設けられ、フレキシブルフィラメントライトの両端が異なるフックにそれぞれ固定され、そして芯柱にフックを設けることにより、フレキシブルフィラメントを、直接にフックに巻回することができ、これによりフックを介してフレキシブルフィラメントの位置決めと固定を行い、フレキシブルフィラメントを二回に巻回したりクランプしたりする必要がなく、金属ブラケットを設ける必要もなく、組立が迅速かつ簡単であり、取付コストや原材料コストを節約することができる。
【００２０】
本考案により提供されるフレキシブルフィラメントライトの二つ目の効果は次の通りである。従来技術に比較すると、本考案のフレキシブルフィラメントライトは、口金アセンブリと、電球ハウジングと、芯柱と、フレキシブルフィラメントとを備え、芯柱には固定フックが固定的に設けられ、固定フックは口金アセンブリと電気的に接続され、フレキシブルフィラメントの両端のパッドには位置決め孔が開設され、固定フックは位置決め孔を通して設けられ、固定フックとパッドとが相互に半田付けされていることにより、フレキシブルフィラメントのパッドと固定フックとが相互に固定的且つ電気的に接続される。パッドを固定フックに引っ掛けることにより、パッドと固定フックとの接続が安定になり、パッドが芯柱から外れる可能性が低減され、フレキシブルフィラメントライトの使用寿命が長くなる。
【００２１】
本考案の実施形態に係る技術的解決手段をより明らかにするために、以下、実施形態または従来技術の説明に使用する必要がある図面を簡単に説明するが、明らかなことに、以下の説明における図面は、本考案のいくつかの実施形態に過ぎない。当業者であれば、創造的な工夫をせずに、これらの図面により他の図面を取得することができる。
【図面の簡単な説明】
【００２２】
【図１】本考案の実施形態により提供されるフレキシブルフィラメントライトの構造を示す分解図である。
【図２】本考案の実施形態により提供されるフレキシブルフィラメントライトの内部構造図である。
【図３】本考案の実施形態により提供される芯柱とフックの立体構造図である。
【考案を実施するための形態】
【００２３】
本考案が解決しようとする技術的問題、技術的解決手段および考案の効果をより分かりやすくするために、以下に添付図面および実施形態を参照しながら、本考案について詳しく説明する。ここで記載した具体的な実施形態は本考案を説明するためのものに過ぎず、本考案を限定するためのものではないことを理解されたい。
【００２４】
ある部材が別の部材に「固定」または「設置」されると称する場合に、それが別の部材に直接的または間接的に位置するようにしてもよい。ある部材が別の部材に「連結」されると称する場合に、それは、別の部材に直接的または間接的に連結されるようにしてもよいことに留意されたい。
【００２５】
本考案の説明において、「長さ」、「幅」、「上」、「下」、「前」、「後」、「左」、「右」、「垂直」、「水平」、「頂」、「底」、「内」、「外」などの用語が示した方位または位置関係は、図面に示された方位または位置関係に基づいて本考案を説明しやすくおよび簡単化するためのものに過ぎず、装置または部品が特定の方位を有しそして特定の方位で構成し操作しなければならないことを指すまたは暗示するためのものではないため、本考案を限定するためのものではないことを理解されたい。
【００２６】
また、「第１」、「第２」という用語は説明の目的だけに用いられ、比較的重要性を指示または暗示するか、あるいは示された技術的特徴の数を黙示的に指示するためのものと理解してはいけない。したがって、「第１」、「第２」などで限定された特徴は、１つまたは複数の該特徴を明示的または暗黙的に含むことができる。本考案の説明において、別途明確かつ具体的な限定がない限り、「複数」とは、二つ以上を意味する。
【００２７】
以下は、本考案の実施形態に係るフレキシブルフィラメントライトについて説明する。
【００２８】
本考案の一実施形態において、図１から図３に示すように、フレキシブルフィラメントライトは、口金アセンブリ１と、電球ハウジング２と、芯柱３と、フレキシブルフィラメント４とを備え、電球ハウジング２は口金アセンブリ１と接続され、口金アセンブリ１は外部電源と電気的に接続されてフレキシブルフィラメント４に電力を供給するために使用され、口金アセンブリ１内にはフレキシブルフィラメント４を駆動するために設けられた駆動部材が設けられている。芯柱３の一端は電球ハウジング２内に延在しており、フレキシブルフィラメント４は芯柱３に固定されて電球ハウジング２内に設けられ、芯柱３の他端は口金アセンブリ１に接続されている。芯柱３には複数のフック５が設けられており、フレキシブルフィラメント４の両端がそれぞれフック５のうちの２つに固定され、且つフレキシブルフィラメント４の中間部が他のフック５に巻回され、フック５がフレキシブルフィラメント４に対して位置決めする。より具体的には、フレキシブルフィラメント４を取り付ける際には、まずはフレキシブルフィラメント４の一端をフック５のうちの１つに固定又は位置決めすることができ、その後、フレキシブルフィラメント４を他のフック５に順次に巻回し、フレキシブルフィラメント４が徐々に位置決めされるようにした後、フレキシブルフィラメント４の末端を残されたフック５に固定または位置決めすることにより、フレキシブルフィラメント４の取付が完了になり、このような構造により、フレキシブルフィラメント４の取付が簡単であり、組立が迅速かつ便利であり、取付コストを節約することができる。なお、フレキシブルフィラメント４の両端がフック５に位置決めされた場合には、フレキシブルフィラメント４の巻回が完了した後に、フレキシブルフィラメント４の端部と対応するフック５とを締結接続する必要があり、フレキシブルフィラメント４がフック５から外れることを防止する。ここで、フレキシブルフィラメント４の端部とフック５とを締結接続する具体的な方法はここでは限定せず、半田付け又はねじ接続等であってもよい。
【００２９】
上述した実施形態におけるフレキシブルフィラメントライトは、口金アセンブリ１と、電球ハウジング２と、芯柱３と、フレキシブルフィラメント４とを備え、芯柱３には複数のフック５が設けられ、フレキシブルフィラメントライト４の両端が異なるフック５にそれぞれ固定され、芯柱３にフック５を設けることにより、フレキシブルフィラメント４を、直接にフック５に巻回することができ、これによりフック５を介してフレキシブルフィラメント４の位置決めと固定を行うことができるため、フレキシブルフィラメント４を二回に巻回したりクランプしたりする必要がなく、金属ブラケットを設ける必要もなく、組立が迅速かつ簡単であり、取付コストや原材料コストを節約することができる。
【００３０】
本考案の他の実施形態において、フレキシブルフィラメントライトは、口金アセンブリ１と、電球ハウジング２と、芯柱３と、フレキシブルフィラメント４とを備え、電球ハウジング２は口金アセンブリ１と接続され、口金アセンブリ１は外部電源と電気的に接続されてフレキシブルフィラメント４に電力を供給するために使用され、口金アセンブリ１内にはフレキシブルフィラメント４を駆動するために設けられた駆動部材が設けられている。芯柱３の一端は電球ハウジング２内に延在しており、フレキシブルフィラメント４は芯柱３に固定されて電球ハウジング２内に設けられ、芯柱３の他端は口金アセンブリ１に接続されている。芯柱３には、２つの固定フック５０が固定されており、２つの固定フック５０は共に口金アセンブリ１に電気的に接続され、フレキシブルフィラメント４の両端には共にパッド４１が設けられており、且つ２つのパッド４１には位置決め孔４１１が開設されており、２つの固定フック５０は、２つの位置決め孔４１１をそれぞれ通して設けられ、フレキシブルフィラメント４の２つのパッド４１がそれぞれ２つの固定フック５０に引っ掛かるようにさせる。取り付ける際には、２つの固定フック５０を２つの位置決め孔４１１にそれぞれ通してフレキシブルフィラメント４に対して予備的な固定を行った後、パッド４１と固定フック５０とを半田付けすることにより、パッド４１の位置決め孔４１１に固定フック５０を半田付けする。固定フック５０はパッド４１に対する係止作用を有するため、半田付けされた後にパッド４１と固定フック５０との半田付けが外れる可能性が低い。
【００３１】
上述した実施形態におけるフレキシブルフィラメントライトは、口金アセンブリ１と、電球ハウジング２と、芯柱３と、フレキシブルフィラメント４とを備え、芯柱３には固定フック５０が固定的に設けられ、固定フック５０は口金アセンブリ１と電気的に接続され、フレキシブルフィラメント４の両端のパッド４１には位置決め孔４１１が開設され、固定フック５０は位置決め孔４１１を通して設けられ、固定フック５０とパッド４１とが相互に半田付けされていることにより、フレキシブルフィラメント４のパッド４１と固定フック５０とが相互に固定的且つ電気的に接続される。パッド４１を固定フック５０に引っ掛けることにより、パッド４１と固定フック５０との接続が安定になり、パッド４１が芯柱３から外れる可能性が低減され、フレキシブルフィラメントライトの使用寿命が長くなる。
【００３２】
本考案の一実施形態において、図２及び図３に示すように、芯柱３には、フレキシブルフィラメント４を巻回させるために使用される複数のフック５が設けられている。フレキシブルフィラメント４を取り付ける際には、まずはフレキシブルフィラメント４の一端を固定フック５０に位置決めし、その次は順次に各フック５に巻回し、そしてフレキシブルフィラメント４の他端を別の固定フック５０に位置決めし、最後に固定フック５０とフレキシブルフィラメント４のパッド４１とを半田付けするので、フレキシブルフィラメント４を二回に巻回したりクランプしたりする必要がなく、金属ブラケットを設ける必要もなく、組立が迅速かつ簡単であり、取付コストや原材料コストを節約することができる。
【００３３】
選択的に、フック５のうちの２つを固定フック５０とすることにより、当該フレキシブルフィラメントライトに別構造の固定フック５０を別途設ける必要がなく、取り付け時の作用が異なるだけである同一構造のフック５として統一的に加工することができ、設計コストや加工コストを節減することができる。具体的には、フレキシブルフィラメント４を取り付ける際には、まずはフレキシブルフィラメント４の一端をフック５のうちの１つに位置決めし、その次は順次に他のフック５に巻回し、そしてフレキシブルフィラメント４の他端を残されたフック５に位置決めし、最後にフレキシブルフィラメント４のパッド４１と対応するフック５とを半田付けする。
【００３４】
本考案の一実施形態において、図２に示すように、芯柱３は、通常には導電性材料ではなく、導電性を有していない透明な芯柱である。芯柱３が絶縁材料である場合には、芯柱３には金属部材３１が固定されており、芯柱３の内部には、口金アセンブリ１と電気的に接続されるリード線が設けられており、リード線は口金アセンブリ１に設けられる駆動部材と電気的に接続されている。金属部材３１が芯柱３内部のリード線に接続され、フック５が金属部材３１に固定的且つ電気的に接続されることにより、フック５と駆動部材との電気的接続が実現され、このようにフレキシブルフィラメント４の端部がフック５に固定的且つ電気的に接続されることにより、フレキシブルフィラメント４と駆動部材との電気的接続が実現される。
【００３５】
選択的に、芯柱３の両端には共にフック５が設けられている場合には、芯柱３の口金アセンブリ１から離れた端部に上述した金属部材３１が設けられ、芯柱３の口金アセンブリ１に近い端部にも上述した金属部材３１が設けられてもよく、芯柱３の口金アセンブリ１に近い端部には金属部材３１が設けられなくてもよい。芯柱３の口金アセンブリ１に近い端部には金属部材３１が設けられていない場合には、芯柱３には連通孔が開設され、フック５（固定フック５０）は、直接に連通孔を通して口金アセンブリ１内の駆動部材と電気接続またはお互いに半田付けされている。
【００３６】
選択的に、芯柱３が透明な芯柱３であり、フレキシブルフィラメント４から発せられた光線が透明な芯柱３を通過することができるため、芯柱３が光線の散乱を遮ることがなく、フレキシブルフィラメントライトの発光効果を確保することができる。ここで、芯柱３は、ガラス製またはプラスチック製であってもよい。電球ハウジング２も、透明な電球ハウジング２であり、フレキシブルフィラメント４から発せられた光線が電球ハウジング２を透過でき、電球ハウジング２は、ガラス製またはプラスチック製であってもよい。芯柱３と電球ハウジング２とが共にガラス製である場合には、フレキシブルフィラメント４を巻回して固定した後、芯柱３とフレキシブルフィラメント４とを共に電球ハウジング２内に延伸させ、そして電球ハウジング２の開口端と芯柱３の末端とを溶融させ、電球ハウジング２内を真空引きして最後に密封させる。芯柱３と電球ハウジング２とが共にプラスチック製である場合には、フレキシブルフィラメント４を巻回して固定した後、芯柱３とフレキシブルフィラメント４とを共に電球ハウジング２内に延伸させ、そして電球ハウジング２の開口端と芯柱３の末端とを二次射出成形し、電球ハウジング２内を真空引きして最後に密封させる。
【００３７】
本考案の一実施形態において、図２に示すように、フレキシブルフィラメント４の両端には位置決め部４１が設けられており、位置決め部４１はフック５に対応して係合するように引っ掛ける。位置決め部４１は、フック部又は位置決め孔であってもよく、位置決め部４１がフック部である場合には、芯柱３上のフック５とフレキシブルフィラメント４上のフック部とが相互に引っ掛かり、フレキシブルフィラメント４に対する予備位置決めを実現する。位置決め部４１が位置決め孔である場合には、フック５はフレキシブルフィラメント４の端部の位置決め孔を通し、フレキシブルフィラメント４に対する予備位置決めを実現する。フレキシブルフィラメント４の両端はパッドであり、位置決め部４１は、パッド上に対応して設けられており、位置決め部４１が位置決め孔である場合に、フレキシブルフィラメント４を取り付ける際には、まずはフック５のうちの１つをフレキシブルフィラメント４の位置決め孔に通させ、フレキシブルフィラメント４の一端を予備的に固定させ、そしてフレキシブルフィラメント４を他のフック５に巻回し、さらに残されたフック５をフレキシブルフィラメント４の他端の位置決め孔に通させ、最後にフレキシブルフィラメント４の端部とフック５とを半田付け等の固定方法により相互に固定させる。
【００３８】
本考案の一実施形態において、図２及び図３に示すように、芯柱３の軸方向の両端には共に複数のフック５が設けられており、そのうち、芯柱３の口金アセンブリ１に近いフック５は第１フック５１であり、芯柱３の口金アセンブリ１から離れたフック５は第２フック５２である。フレキシブルフィラメント４は、第１フック５１と第２フック５２とに交互に巻回され、すなわち、第１フック５１、第２フック５２、第１フック５１…の順に巻回される。図２に示すように、フレキシブルフィラメント４の設置方向は、下から上へ、上から下へ、下から上へ…であり、このようにフレキシブルフィラメント４の巻回が完了までである。例えば、フレキシブルフィラメント４の一端が第１フック５１のうちの１つに固定された後、フレキシブルフィラメント４を第２フック５２、第１フック５１、第２フック５２…の順に巻回し、そしてフレキシブルフィラメント４の他端を第１フック５１または第２フック５２に固定する。
【００３９】
なお、フレキシブルフィラメント４の両端は半田付けによりフック５に固定することができる。具体的には、フレキシブルフィラメント４の両端が共に第１フック５１に半田付けされ、あるいは、フレキシブルフィラメント４の両端が共に第２フック５２に半田付けされ、あるいは、フレキシブルフィラメント４の両端がそれぞれ第１フック５１のうちの１つと第２フック５２のうちの１つとに半田付けされている。フレキシブルフィラメント４の端部の固定位置は、フレキシブルフィラメント４の長さ及びフック５の分布に関し、ここでは特に限定しない。
【００４０】
選択的に、複数のフック５は、少なくとも２つの固定フック５０を含み、フレキシブルフィラメント４の一端を固定フック５０に固定した後、フレキシブルフィラメント４を第２フック５２、第１フック５１、第２フック５２…の順に巻回し、そしてフレキシブルフィラメント４の他端をもう１つの固定フック５０に固定する。
【００４１】
選択的に、固定フック５０は、第１フック５１または第２フック５２とすることができ、フレキシブルフィラメント４のパッド４１を口金アセンブリ１に近い一端に固定することも、口金アセンブリ１から離れた一端に固定することもできる。より具体的には、２つの固定フック５０は共に第１フック５１であり、すなわち、フレキシブルフィラメント４の２つのパッド４１は共に口金アセンブリ１に近い一端に固定されている。あるいは、２つの固定フック５０は共に第２フック５２であり、すなわち、フレキシブルフィラメント４の２つのパッド４１は共に口金アセンブリ１から離れた一端に固定されている。あるいは、一方の固定フック５０が第１フック５１であり、他方の固定フック５０が第２フック５２であり、すなわち、フレキシブルフィラメント４の一方のパッド４１が口金アセンブリ１に近い一端に固定され、他方のパッド４１が口金アセンブリ１から離れた一端に固定されている。
【００４２】
本考案の一実施形態において、図３に示すように、複数の第１フック５１は、芯柱３の口金アセンブリ１に近い一端に周方向に均等に設けられ、複数の第２フック５２は、芯柱３の口金アセンブリ１から離れた一端に周方向に均等に設けられている。フレキシブルフィラメント４を第１フック５１の一端に周方向に均一に分布させ、そして第２フック５２の一端にも周方向に均一に分布させることにより、フレキシブルフィラメントライトを均一に発光させることができる。第１フック５１及び第２フック５２の数は、２個、３個、４個等とすることができ、その具体的な数はここでは限定しない。また、第１フック５１と第２フック５２とは、芯柱３の軸方向に正対して設けられていてもよく、また、ずれて設けられていてもよい。
【００４３】
選択的に、複数の第１フック５１が芯柱３の軸方向に段違いに設けられ、すなわち、軸方向に隣り合う第１フック５１と第２フック５２との間の距離が異なってもよく、フレキシブルフィラメント４の長さが変化してもこのような構成で巻回することができる。複数の第２フック５２が芯柱３の軸方向に段違いに設けられ、すなわち、軸方向に隣り合う第１フック５１と第２フック５２との間の距離が異なってもよく、フレキシブルフィラメント４の長さが変化してもこのような構成で巻回することができる。
【００４４】
選択的に、第１フック５１の開口側と第２フック５２の開口側とを逆向きに設けることにより、フレキシブルフィラメント４が第１フック５１と第２フック５２とに巻回される際に、第１フック５１及び第２フック５２によって引っ張られることができ、フレキシブルフィラメント４の両端を固定すれば、フレキシブルフィラメント４がフック５から外れることがないようにすることが確保できる。図３に示すように、第１フック５１の開口側が下向きに設けられ、第２フック５２の開口側が上向きに設けられている。
【００４５】
本考案の一実施形態において、図２及び図３に示すように、フック５は円弧部５３を備え、フレキシブルフィラメント４がフック５に巻回されたときに、フレキシブルフィラメント４はフック５の円弧部５３に当接しており、円弧部５３を設けることにより、フック５とフレキシブルフィラメント４との接触面が増大し、フレキシブルフィラメント４の摩耗を回避することができる。円弧部５３の直径はｄであり、円弧部５３の円弧長は０．５πｄ〜０．７５πｄであり、そしてフレキシブルフィラメント４の直径は円弧部５３の直径と適合しており、具体的にはフレキシブルフィラメント４の直径は円弧部５３の直径と等しいまたはほぼ等しいであるので、フレキシブルフィラメント４がフック５の円弧部５３に入って挟み込まれることができ、フレキシブルフィラメント４が外れる可能性を低減することができる。
【００４６】
上記は本考案の優れた実施形態に過ぎず、本考案を制限するものではない。本考案の精神及び原則の内になされたあらゆる変更、等価取替及び改良等は、本考案の保護範囲内に含まれるはずである。
【符号の説明】
【００４７】
１  口金アセンブリ
２  電球ハウジング
３  芯柱
３１  金属部材
４  フレキシブルフィラメント
４１  位置決め部（パッド）
４１１  位置決め孔
５  フック
５０  固定フック
５１  第１フック
５２  第２フック
５３  円弧部
【図１】
0003233052.tif 000003
【図２】
0003233052.tif 000004
【図３】
0003233052.tif 000005